(57)【要約】【課題】一定圧でディスクを保持することができ、しかも、精度良く、安定した固定を実現したディスク固定装置を提供する。【解決手段】ディスク固定装置１は、ターンテーブル１０とディスク固定具５０とを有する。ディスク固定具５０は、ディスク押え金具５１と、ディスク押え金具５１の中心部を貫通して移動自在に設けられた固定用ねじ軸５２と、ディスク押え金具５１をターンテーブル１０側へと付勢する固定具付勢部材６９と、を有し、ディスク固定具５０は、調芯機構３０に装着されたディスク１００を固定具付勢部材６９の付勢力により調芯機構３０に押圧して調芯し、ターンテーブル１０と協働して調芯機構３０に装着されたディスク１００を所定の圧力にて挟持する。【選択図】図１
2011187113.tif 000002
【特許請求の範囲】
【請求項１】
駆動機構部により回転駆動されるターンテーブルと、前記ターンテーブルと協働してディスクを着脱自在に挟持するディスク固定具とを有するディスク固定装置であって、
前記ターンテーブルは、一端部に前記駆動機構部からの駆動力が伝達され、他端部に前記ディスク固定具が取り付けられるねじ部が形成された中心軸部と、前記中心軸部と同中心にて一体に形成されたフランジ部と、前記フランジ部に設置され、ディスクが装着される調芯機構と、を備え、
前記ディスク固定具は、
円筒形状のディスク押え金具と、
前記ディスク押え金具の中心部を貫通して移動自在に設けられ、前記ターンテーブルの前記中心軸部の前記駆動力が伝達される端部とは反対側の端部に着脱自在に取り付けられる、先端部にねじ部が形成された固定用ねじ軸と、
前記固定用ねじ軸と前記ディスク押え金具との間に設置され、前記ディスク押え金具を前記ターンテーブル側へと付勢する固定具付勢部材と、
を有し、前記ディスク固定具は、前記固定用ねじ軸の前記ねじ部を前記ターンテーブルの前記中心軸のねじ部に取り付けることにより、前記調芯機構に装着された前記ディスクを前記固定具付勢部材の付勢力により前記調芯機構に押圧して調芯し、前記ターンテーブルと協働して前記調芯機構に装着されたディスクを所定の圧力にて挟持することを特徴とするディスク固定装置。
【請求項２】
前記ディスク押え金具は、円筒形状の第１ディスク押え金具と、前記第１ディスク押え金具と一体に固定された円筒形状の第２ディスク押え金具と、を備えており、
前記固定用ねじ軸は、第１及び第２ディスク押え金具の中心軸を貫通して移動自在に設置され、
前記固定具付勢部材は、前記第１ディスク押え金具と第２ディスク押え金具との間に形成された空間部にて、前記固定用ねじ軸の外周囲に配置されたコイルばねである、
ことを特徴とする請求項１に記載のディスク固定装置。
【請求項３】
前記調芯機構は、前記中心軸の軸線方向に移動自在に設置されたテーパコマ部材と、前記テーパコマ部材を前記フランジ部に移動自在に取り付けるためのガイド部材と、前記テーパコマ部材を前記フランジ部とは反対方向に付勢するテーパコマ部材付勢部材と、を有することを特徴とする請求項１又は２に記載のディスク固定装置。
【請求項４】
前記テーパコマ部材は、前記ディスクが挿入される側が小径とされ、反対側が大径とされる円錐台とされ、
前記ガイド部材は、前記円錐台を前記小径部から大径部へと貫通して前記フランジ部に立設されたガイドピン・ストッパであり、
前記テーパコマ部材付勢部材は、前記ガイドピン・ストッパの外周囲に配置され、前記円錐台と前記フランジ部との間に配置されたコイルばねである、
ことを特徴とする請求項３に記載のディスク固定装置。
【発明の詳細な説明】
【技術分野】
【０００１】
本発明は、一般には、ディスク状の光記録媒体（以下、「ディスク」という。）の固定装置に関するものであり、特に、光ピックアップの調整及び検査を行うための光ピックアップ調整検査装置にて好適に使用される、光ピックアップテスト用のディスク（以下、「テストディスク」という。）の固定装置に関するものである。
【背景技術】
【０００２】
従来、例えば、光ピックアップの調整及び検査を行うための光ピックアップ調整検査装置においては、テストディスクは固定装置にて光ピックアップ調整検査装置の駆動機構部に取り付けられている。
【０００３】
一般に、ディスク固定装置としては、ねじ式のものやマグネット式のものが知られており、ディスクの中心平面部を利用して固定装置により挟持し、固定装置を回転機構部に取り付ける構成とされている（例えば、特許文献１、２参照）。
【０００４】
更に説明すると、本願添付の図６には、実際に実施されている従来の光ピックアップ検査装置におけるねじ式の固定装置の一例を示している。本例では、モータのテーブル（回転機構部）７０に配置された固定装置の第１のディスク押え金具７１と第２のディスク押え金具７２にて、テストディスク１００の中心平面部を挟持し、ねじ７３にて両ディスク押え金具７１、７２をねじ止めすることにより、回転機構部７０に取り付けられる。テストディスク１００を固定装置に固定するに際して、第１ディスク押え金具７１のセンターホールと、モータテーブルのセンターリング機構（調芯機構）７４によりモータ中心とディスク中心とを自動的に合わせる自動調芯動作が行われる。ディスクの固定力は、ねじ締めトルクにより決定する。
【０００５】
この固定装置は、テストディスク１００を固定する手段として、ねじ止めが採用されているので、固定が確実で脱落の恐れがなく、取付面の密着の安定性が高い。即ち、取付面の状態の影響が少なく、下面・垂直取り付けをしても安定した姿勢が保たれるといったメリットがある。更に、構造が単純であるため、精度確保が簡単であり、しかも、安価な構成とされる。
【０００６】
本願添付の図７には、現在実施されている従来の光ピックアップ検査装置におけるマグネット式固定装置の例を示している。本例では、テストディスク１００を予め第１及び第２固定用金具８１、８２で挟み込み、固定用金具の中心に設けられたモータシャフトが挿入される穴８１ａを基準にモータの中心が合致するように微調整を行い、金具８１、８２とディスク１００を接着剤などにて固定する。
【０００７】
このように、予めモータの回転中心と合致するように調整された固定金具付きディスク１００をモータのテーブル８３に磁力にて固定する。
【０００８】
この固定装置によれば、テストディスク１００を固定する際にディスク１００に大きな力が加わらないため、固定によるディスク１００のひずみが少ない。また、テストディスク１００の調芯をモータに固定する前に行うことができるためディスク交換の時間を短縮できる。更に、ディスクの交換がワンタッチでできる、といったメリットがある。
【先行技術文献】
【特許文献】
【０００９】
【特許文献１】特開２００５−３３２４４８号公報
【特許文献２】実開平４−１０５８４９号公報
【発明の概要】
【発明が解決しようとする課題】
【００１０】
しかしながら、図６に示す従来例では、ねじ締め力によっては大きな力がテストディスク１００に加わるため、固定によるディスク歪発生の恐れがある。また、テストディスク１００の調芯をモータに固定してから行うため、ディスク交換の調整時間がかかり、また、ディスク交換に熟練を要する。
【００１１】
また、図７に示す従来例では、テストディスク固定手段として磁力を使用する方法であるため、モータテーブル８３とディスクディスク押え金具８１の座面の状態が安定していないと、固定が不確実で脱落の恐れがある。即ち、取付面の面精度が悪いと密着が保たれないため、小さな力で外れてしまう。下面・垂直取付けをした場合、安定した姿勢、固定力が保たれなくなる。更に、構造が複雑であるため、精度確保が困難であり、コスト高となる。また、ディスク押え金具８１、８２とテストディスク１００を固定する際に、接着剤などを用いる必要があり、メンテナンス性もあまり良くない。
【００１２】
そこで、本発明の目的は、上記従来の問題点を解決するためになされたものであり、一定圧でディスクを保持することができ、しかも、精度良く、安定した固定を実現したディスク固定装置を提供することである。
【００１３】
本発明の他の目的は、ディスクの交換が容易であり、ディスク交換時間を短縮でき、光ピックアップ調整検査装置などにも好適に使用することのできるディスク固定装置を提供することである。
【課題を解決するための手段】
【００１４】
上記目的は本発明に係るディスク固定装置にて達成される。要約すれば、本発明は、駆動機構部により回転駆動されるターンテーブルと、前記ターンテーブルと協働してディスクを着脱自在に挟持するディスク固定具とを有するディスク固定装置であって、
前記ターンテーブルは、一端部に前記駆動機構部からの駆動力が伝達され、他端部に前記ディスク固定具が取り付けられるねじ部が形成された中心軸部と、前記中心軸部と同中心にて一体に形成されたフランジ部と、前記フランジ部に設置され、ディスクが装着される調芯機構と、を備え、
前記ディスク固定具は、
円筒形状のディスク押え金具と、
前記ディスク押え金具の中心部を貫通して移動自在に設けられ、前記ターンテーブルの前記中心軸部の前記駆動力が伝達される端部とは反対側の端部に着脱自在に取り付けられる、先端部にねじ部が形成された固定用ねじ軸と、
前記固定用ねじ軸と前記ディスク押え金具との間に設置され、前記ディスク押え金具を前記ターンテーブル側へと付勢する固定具付勢部材と、
を有し、前記ディスク固定具は、前記固定用ねじ軸の前記ねじ部を前記ターンテーブルの前記中心軸のねじ部に取り付けることにより、前記調芯機構に装着された前記ディスクを前記固定具付勢部材の付勢力により前記調芯機構に押圧して調芯し、前記ターンテーブルと協働して前記調芯機構に装着されたディスクを所定の圧力にて挟持することを特徴とするディスク固定装置である。
【００１５】
本発明の一実施態様によれば、前記ディスク押え金具は、円筒形状の第１ディスク押え金具と、前記第１ディスク押え金具と一体に固定された円筒形状の第２ディスク押え金具と、を備えており、
前記固定用ねじ軸は、第１及び第２ディスク押え金具の中心軸を貫通して移動自在に設置され、
前記固定具付勢部材は、前記第１ディスク押え金具と第２ディスク押え金具との間に形成された空間部にて、前記固定用ねじ軸の外周囲に配置されたコイルばねである。
【００１６】
本発明の他の実施態様によれば、前記調芯機構は、前記中心軸の軸線方向に移動自在に設置されたテーパコマ部材と、前記テーパコマ部材を前記フランジ部に移動自在に取り付けるためのガイド部材と、前記テーパコマ部材を前記フランジ部とは反対方向に付勢するテーパコマ部材付勢部材と、を有する。
【００１７】
本発明の他の実施態様によれば、前記テーパコマ部材は、前記ディスクが挿入される側が小径とされ、反対側が大径とされる円錐台とされ、
前記ガイド部材は、前記円錐台を前記小径部から大径部へと貫通して前記フランジ部に立設されたガイドピン・ストッパであり、
前記テーパコマ部材付勢部材は、前記ガイドピン・ストッパの外周囲に配置され、前記円錐台と前記フランジ部との間に配置されたコイルばねである。
【発明の効果】
【００１８】
本発明によれば、一定圧でディスクを保持することができ、しかも、精度良く、安定した固定を実現したディスク固定装置を提供することができる。また、本発明のディスク固定装置は、ディスクの交換が容易であり、ディスク交換時間を短縮でき、光ピックアップ調整検査装置などにも好適に使用することができる。
【図面の簡単な説明】
【００１９】
【図１】本発明に係るディスク固定装置の一実施例の全体構成断面図である。
【図２】本発明に係るディスク固定装置にて、ディスク固定具をターンテーブルから取り外した状態を示す分解斜視図である。
【図３】本発明に係るディスク固定装置にて、ディスク固定具をターンテーブルから取り外した状態を示す断面図である。
【図４】調芯機構のテーパコマ部材を示す断面斜視図である。
【図５】本発明に係るディスク固定装置の作動を説明するための断面図である。
【図６】従来のディスク固定装置の一例を示す図である。
【図７】従来のディスク固定装置の他の例を示す図である。
【発明を実施するための形態】
【００２０】
以下、本発明に係るディスク固定装置を図面に則して更に詳しく説明する。
【００２１】
実施例１
図１〜図４に、本発明に係るディスク固定装置の一実施例を示す。本実施例にて、ディスク固定装置１は、光ピックアップ調整検査装置に好適に使用することのできるディスク固定装置として説明するが、本発明はこれに限定されるものではない。
【００２２】
また、本実施例にて、ディスク固定装置１は、説明を容易とするために、ディスク１００が水平に取付けられる下面・水平取付け構造とされるディスク固定装置について説明する。従って、各構成部材等の説明では、ディスク１００を水平に配置した状態でディスク１００の一側を上方（上側）、他側を下方（下側）などと称して説明する。しかし、本発明のディスク固定装置１は、ディスク１００が垂直に取付けられる下面・垂直取付け構造も可能であることを理解されたい。
【００２３】
（ディスク固定装置の全体構成）
先ず、図１〜図４を参照して、本実施例のディスク固定装置１の全体構成について説明する。
【００２４】
図１及び図２にて、本実施例のディスク固定装置１は、回転駆動されるターンテーブル１０と、ターンテーブル１０と協働してディスク１００を挟持するディスク固定具５０とを有する。ターンテーブル１０は、光ピックアップ調整検査装置などの駆動機構部を構成する駆動モータ２００の駆動軸（モータシャフト）２０１に取り付けられる。
【００２５】
図３及び図４をも参照して、ターンテーブル１０及びディスク固定具５０について説明する。
【００２６】
本実施例にて、ターンテーブル１０は、モータシャフト２０１が一体的に取り付けられる中心軸部１１と、中心軸部１１と同中心にて一体に形成されたフランジ部１２とを有する。中心軸部１１には、中心軸部１１に、一端側（図３では下端側）から所定長さに延在して、モータシャフト取付穴１３が形成されている。モータシャフト取付穴１３には、図示するように、モータシャフト２０１が圧入、或いは、ねじ止めなどにより固定され、駆動モータ２００からの駆動力が伝達される。また、モータシャフト取付穴１３と同軸にて他端側（図３では上端側）へと延在して雌ねじ１４が形成されている。雌ねじ１４には、後述するように、ディスク固定具５０の固定用ねじ軸５２の先端雄ねじ６０が螺合される。
【００２７】
ターンテーブル１０には、フランジ部１２の、図３にて上面１２ａ側に位置して、調芯機構３０が設置される。
【００２８】
調芯機構３０は、ターンテーブル１０の中心軸部１１の軸線方向に移動自在に設置されたテーパコマ部材３１と、テーパコマ部材３１を移動自在にフランジ部１２に取り付けるためのガイド部材１５と、テーパコマ部材３１をフランジ部１２とは反対方向に付勢するテーパコマ部材付勢部材としてのコイルばね１６と、を有している。
【００２９】
本実施例では、テーパコマ部材３１は、図４に示すように、円錐台とされ、円錐台３１の中心部に形成した貫通穴３２が、ターンテーブル１０の中心軸部１１に嵌合して中心軸部１１の軸線方向に移動自在に設置されている。
【００３０】
更に、本実施例によれば、フランジ部１２の、図３にて下面１２ｂ側に位置して中心軸部１１の回りに同軸にてより大径とされたボス部１７が形成されている。このボス部１７をも利用して、フランジ部１２の上面１２ａ側よりフランジ部１２及びボス部１７にガイド部材１５であるガイドピン・ストッパが立設されている。ガイドピン・ストッパ１５は、本実施例では、フランジ部１２の直径方向に対向配置して２本取り付けられているが、これに限定されるものではなく、周方向に等間隔にて３本、或いは、４本を立設することも可能である。
【００３１】
図４をも参照すると理解されるように、円錐台３１は、本実施例では、直径方向に対向して、上面３１ａ側から下面３１ｂ側へと貫通した段穴３３が形成されており、円錐台３１の上面３１ａ側に小径の穴３３ａが形成され、下面３１ｂ側に大径の穴３３ｂが形成されている。
【００３２】
段穴３３を貫通して、ガイドピン・ストッパ１５が貫通しており、段穴３３の上方に形成した小径穴３３ａは、ガイドピン・ストッパ１５に摺動嵌合する大きさの穴径とされる。即ち、小径穴３３ａは、ガイドピン・ストッパ１５に対して、円錐台３１を上下方向に移動可能に案内するガイド穴である。ガイドピン・ストッパ１５の上部は、小径穴３３ａより大径の頭部１５ａが形成されており、円錐台３１の上方への移動を制限するストッパとなっている。また、図３に示すように、円錐台３１の下方への移動を可能とするために、即ち、本実施例では、円錐台３１の下面３１ｂとフランジ部上面１２ａとの間に所定距離の空隙部を設けるために、フランジ部上面１２ａには凹所１８が形成されている。勿論、フランジ部上面１２ａに凹所１８を形成することなく、円錐台下面３１ｂとフランジ部上面１２ａとの間に所定の距離を設ける構成としても良い。
【００３３】
段穴３３の下方に形成した大径穴３３ｂには、座金３４が設置され、座金３４とフランジ部凹所水平面１８ａとの間にて、ガイドピン・ストッパ１５の周りに上記コイルばね１６が設置されている。
【００３４】
上記構成により、ターンテーブル１０において調芯機構３０の円錐台３１は、コイルばね１６により上方へと付勢され、円錐台３１の上面３１ａがガイドピン・ストッパ１５のストッパ１５ａに衝接するまで、ガイドピン・ストッパ１６に案内されて上方へと移動し、この位置に保持されている（図３の状態）。円錐台３１は、上方よりディスク１００などにより下方へと押圧されることにより、ガイドピン・ストッパ１５に案内されて下方への移動が可能とされる。
【００３５】
次に、ディスク固定具５０について説明する。
【００３６】
図１、図３を参照すると、ディスク固定具５０は、ターンテーブル１０に装着されて、ディスク１００をターンテーブル１０へと押圧するディスク押え金具５１と、ディスク押え金具５１をターンテーブル１０に着脱自在に取付ける固定用ねじ軸５２とを備えている。ディスク押え金具５１は、内部に凹状の空間Ｖ１が形成された円筒形状の第１ディスク押え金具５３と、第１ディスク押え金具５３に固定ねじ５７にて一体に固定され、内部に凹状の空間Ｖ２が形成された円筒形状の第２ディスク押え金具５４とを備えている。
【００３７】
第１ディスク押え金具５３は、図３にて、下方部が開口されており、上方の壁部材５５の中央部に貫通穴５６が形成されている（図１参照）。貫通穴５６は、ターンテーブル１０の中心軸部１１が移動自在に嵌合し得る大きさとされる。
【００３８】
第２ディスク押え金具５４は、図３にて、第１ディスク押え金具５３の壁部材５５の上面に位置して、上述のように、固定ねじ５７により第１ディスク押え金具５３に取り付けられている。第２ディスク押え金具５４は、図３にて、下方部が開口されており、上方の壁部材５８の中央部に貫通穴５９が形成されている。
【００３９】
本実施例では、第２ディスク押え金具５４の外径は、第１ディスク押え金具５３の外径より小径とされているが、これに限定されるものではない。ただ、第２ディスク押え金具５４の凹部空間Ｖ２の開口部の径は、第１ディスク押え金具５３の貫通穴５６より大径とされ、第１ディスク押え金具５３の貫通穴５６と、第２ディスク押え金具５４の貫通穴５９及び凹部空間Ｖ１、Ｖ２とは、同一軸線にて形成されている。
【００４０】
第１ディスク押え金具５３の貫通穴５６と、第２ディスク押え金具５４の貫通穴５９及び凹部空間Ｖ１、Ｖ２とを貫通して、固定用ねじ軸５２が配置される。固定用ねじ軸５２は、図３にて下方先端部が雄ねじ６０とされ、雄ねじ６０の上方には、段付き形状とされる軸部６２が一体に形成されている。軸部６２は、第１ディスク押え金具５３の貫通穴５６を上下方向に移動し得る径とされる第１軸６３と、第１ディスク押え金具５３の貫通穴５６及び第２ディスク押え金具５４の貫通穴５９より大径とされ且つ第２ディスク押え金具５４の凹部空間Ｖ２を上下方向に移動し得る径とされるフランジ６５と、第１軸６３とフランジ６５との間に形成されたガイド軸６４と、第２ディスク押え金具５４を上方へと貫通して、第２ディスク押え金具５４の貫通穴５９を上下方向に移動し得る径とされる第２軸６６とを備えている。本実施例では、第１軸６３、ガイド軸６４及びフランジ６５の軸径は、第１軸６３＜ガイド軸６４＜フランジ６５とされている。
【００４１】
第２軸６６の上方端には、操作用のノブ（摘み）６７がセットねじ６８にて取付けられている。また、ガイド軸６４の外周囲には固定具付勢部材としてのコイルばね６９が配置される。また、第１ディスク押え金具５３の貫通穴５６周辺の壁部材５５の上面５５ａと、フランジ６５の下面６５ａとがコイルばね６９の座面を形成しており、そのため、フランジ６５は、その上面６５ｂがコイルばね６９の付勢力により第２ディスク押え金具５４の壁部材５８の下面部５８ａに衝接されている。つまり、固定用ねじ軸５２は、図３にて、ディスク固定具５０においては、上方へと付勢されて移動した状態に保持されている。
【００４２】
上記構成にて、ディスク固定具５０は、固定用ねじ軸５２の雄ねじ６０をターンテーブル１０の中心軸部１１の上方端部に形成した雌ねじ１４に螺合させることにより、ターンテーブル１０に取り付けることができる。
【００４３】
（ディスク固定装置の動作）
次に、図１〜図４及び図５を参照して、本実施例のディスク固定装置１の作動態様について説明する。
【００４４】
図２及び図３に示すように、ディスク固定装置１を使用するに際しては、ディスク固定具５０が取り外された状態で、ターンテーブル１０の上方より、テストディスク１００の中心穴部１００Ａをターンテーブル１０の調芯機構３０に装着する。
【００４５】
次いで、図１、図５に示すように、固定用ねじ軸５２の雄ねじ６０をターンテーブル１０の中心軸部１１の上方端部に形成した雌ねじ１４に螺合させることにより、ディスク固定具５０をターンテーブル１０に取り付ける。摘み６７にて固定用ねじ軸５２を回すことにより、第１ディスク押え金具５３の開口端面５３ａがディスク１００の上面に当接する。更に固定用ねじ軸５２を回すことにより、第１ディスク押え金具５３は、コイルばね６９を介して所定の圧力でディスク１００をターンテーブル１０側へと押し付ける。固定用ねじ軸５２の雄ねじ６０を中心軸部１１の雌ねじ１４に螺入することにより、第１ディスク押え金具５３がディスク１００を下方へと加圧していく。従って、ディスク１００は、所定のばね力にて調芯機構３０の円錐台３１に押し付けられる。
【００４６】
一方、円錐台３１は、コイルばね１６により上方へと押し上げられており（図３、図５の状態）、装着されたディスク１００を図５に示す矢印方向へと下方に移動させるように押圧すると、ディスク１００（即ち、中心穴部１００Ａ）の中心を円錐台３１の中心に移動するように力が発生し、ディスク１００はセンターリング（調芯）される。
【００４７】
すなわち、ディスク１００を調芯機構３０に装着した時、図５にて一点鎖線で示すようにディスク１００がターンテーブル１０に対して傾斜して、即ち、ディスク１００の平面がターンテーブル１０の回転軸線に対して直角ではない角度にて調芯機構３０に装着された場合には、第１ディスク押え金具５３の下面５３ａ全周ではなくその一部が、傾斜して装着されたディスク１００の一部に当接することとなる。この状態で、固定用ねじ軸５２を更に回すと、第１ディスク押え金具５３は、コイルばね６９により押圧されて第１ディスク押え金具５３と当接したディスク１００の部分を円錐台３１の傾斜面に沿って下方へと移動させようとし、その摩擦力にて、円錐台３１自体もコイルばね１６の付勢力に抗して下方へと移動し、また、下方への押圧力が低減すると元の位置へと復帰する。
【００４８】
このような、ディスク１００の下方への押圧及び円錐台３１の上下方向への移動により、ディスク１００の平面がターンテーブル１０の回転軸線に対して直角となる。即ち、調芯される。
【００４９】
なお、本実施例では、ディスク押え金具５０の固定用ねじ軸５２は、第１軸６３の下面肩部６３ａが、ターンテーブル１０の中心軸部１１の上面１１ａに当接するとそれ以上のねじ込みは不可とされている（図１の状態）。
【００５０】
従って、この時点にて、ディスク１００のディスク固定装置１への取付け操作は終了する。即ち、ディスク１００が円錐台３１により調芯された状態、即ち、図１に示すように、ディスク１００がディスク固定装置１に正常に装着された状態にて、ディスク１００は、ディスク固定具５０とターンテーブル１０により挟持される。
【００５１】
尚、図１に示すように、ディスク１００をディスク固定装置１に装着した状態にて、
第２押え金具５４の壁部材５８の下面部５８ａと、フランジ６５の上面６５ｂとの間、及び、ディスク１００の下面とターンテーブル１０の上面１２ａとの間には、それぞれ、僅かの隙間△Ｅ１、△Ｅ２が生じるように構成されている。通常、隙間△Ｅ１、△Ｅ２は、１〜２μｍ程度とされる。
【００５２】
これにより、ディスク１００は、ばね１６及びばね１９により、所定の圧力にて第１押え金具５３の下面５３ａ及び調芯機構３０の円錐台３１により挟持された状態となる。
【００５３】
つまり、本発明のディスク固定装置１では、固定用ねじ軸５２と第１ディスク押え金具５３との間にコイルばね６９が装着されており、固定用ねじ軸５２のコイル座面６５ａからこのばねの反力によりディスク押え金具５１が押し出される形となる。また、調芯機構３０により円錐台３１がコイルばね１６の力により上方へと付勢されている。これにより略一定圧力にてディスク１００がディスク固定装置１に固定される。
【００５４】
ディスク１００をディスク固定装置１から取り外す場合は、固定用ねじ軸５２を回し、雄ねじ部６０をターンテーブル１２の雌ねじ部１４との螺合を解除することにより達成される。
【００５５】
以上のように、本発明のディスク固定装置１によれば、ディスク１００を、ターンテーブル１０とディスク固定具５０とにより、コイルばね１６、６９による一定の圧力にて保持することができる。また、ターンテーブル１０に備えた調芯機構３０により、精度良く、しかも、安定した固定を実現する。
【００５６】
更には、上述したように、本発明のディスク固定装置１は、単に固定用ねじ軸５２を操作するだけで、ディスク１００の着脱が可能であり、従って、ディスク１００の交換が容易である。また、ディスク交換時間を短縮でき、光ピックアップ調整検査装置にも好適に使用することができる。
【００５７】
上記実施例の説明では、ディスクが水平に取付けられる下面・水平取付け構造とされるディスク固定装置について説明したが、本発明のディスク固定装置は、ディスクが垂直に取付けられる下面・垂直取付け構造も可能である。
【符号の説明】
【００５８】
１          ディスク固定装置
１０        ターンテーブル
１１        中心軸部
１２        フランジ部
１３        モータシャフト取付穴
１４        雌ねじ
１５        ガイドピン・ストッパ（ガイド部材）
１６        コイルばね（テーパコマ部材付勢部材）
３０        調芯機構
３１        テーパコマ部材（円錐台）
５０        ディスク固定具
５１        ディスク押え金具
５２        固定用ねじ軸
５３        第１ディスク押え金具
５４        第２ディスク押え金具
６０        雄ねじ
６９        コイルばね（固定具付勢部材）
【図１】
2011187113.tif 000003
【図２】
2011187113.tif 000004
【図３】
2011187113.tif 000005
【図４】
2011187113.tif 000006
【図５】
2011187113.tif 000007
【図６】
2011187113.tif 000008
【図７】
2011187113.tif 000009